(57)【要約】      （修正有）【課題】外径の細い光ファイバケーブルを製作可能とした光ファイバ芯線落とし込み装置を提供すること。【解決手段】光ファイバ芯線をスロットロッド１３の外周面に形成された螺旋溝１３ａに落とし込むための装置。スロットロッド１３を挿通させるスロットロッド挿通穴１７ｂが形成され、スロットロッド１３の周りに相対回転可能に支持された回動支持部材１７と、回動支持部材１７に装着されて螺旋溝１３ａの幅方向に短径軸を有する断面形状楕円形の貫通穴を有する光ファイバ芯線挿入パイプ１５とを備えている。光ファイバ芯線挿入パイプ１５の光ファイバ芯線の挿入方向下流側の一端が螺旋溝１３ａに挿入されて、光ファイバ芯線挿入パイプ１５によって光ファイバ芯線を案内しながら光ファイバ芯線を螺旋溝１３ａに落とし込む。【選択図】図１
2005331543.tif 000002
【特許請求の範囲】
【請求項１】
螺旋溝が外周面に形成された光ファイバケーブル用スロットロッドを挿通させるスロットロッド挿通穴が形成されると共に前記光ファイバケーブル用スロットロッドの周りに相対回転可能に支持された回動支持部材と、光ファイバ芯線を挿通させる貫通穴が設けられ前記光ファイバ芯線の挿入方向下流側の一端が前記螺旋溝に挿入されて前記回動支持部材に装着された光ファイバ芯線挿入パイプと、を備え、前記光ファイバ芯線挿入パイプによって前記光ファイバ芯線を案内しながら前記光ファイバ芯線を前記螺旋溝に落とし込む光ファイバ芯線落とし込み装置であって、
前記光ファイバ芯線挿入パイプの前記貫通穴は、その断面形状が前記螺旋溝の幅方向に短径軸を有する楕円形状であることを特徴とする光ファイバ芯線落とし込み装置。
【請求項２】
前記光ファイバケーブル用スロットロッドの中心と前記光ファイバ芯線挿入パイプの下流側先端における前記螺旋溝の中心とを結ぶ線に平行な揺動軸心を中心として揺動可能とされて前記回動支持部材に配設されたパイプホルダを更に備え、
前記光ファイバ芯線挿入パイプの前記貫通穴の長径軸を前記揺動軸心に一致させて、前記光ファイバ芯線挿入パイプの上流側の他端を前記パイプホルダに固着したことを特徴とする請求項１に記載した光ファイバ芯線落とし込み装置。
【請求項３】
前記パイプホルダが、前記光ファイバ芯線挿入パイプを挿入して固定する断面楕円形のパイプ挿入穴と、前記パイプ挿入穴の長径軸の延長線上の両端に形成された一対の支持ピンと、を有し、
一対の前記支持ピンが、前記光ファイバケーブル用スロットロッドの中心と前記光ファイバ芯線挿入パイプの下流側先端における前記螺旋溝の中心とを結ぶ線に平行とされて前記回動支持部材に設けられたピン支持穴に嵌合して、前記光ファイバ芯線挿入パイプが一対の前記支持ピンを中心として揺動自在に前記回動支持部材に配設されたことを特徴とする請求項１または請求項２に記載した光ファイバ芯線落とし込み装置。
【請求項４】
前記光ファイバ芯線挿入パイプが、前記パイプホルダの前記パイプ挿入穴に挿入されると共に、前記光ファイバ芯線挿入パイプに固定された磁石の磁力により前記パイプホルダに固着されることを特徴とする請求項１〜請求項３のいずれか一つに記載した光ファイバ芯線落とし込み装置。
【発明の詳細な説明】
【技術分野】
【０００１】
本発明は、光ファイバ芯線落とし込み装置の改良に関し、より詳細には、外径の小さな光ファイバケーブルを製作可能とした光ファイバ芯線落とし込み装置に関する。
【背景技術】
【０００２】
従来、高速通信に用いられる光ファイバケーブルは、光ファイバケーブル用スロットロッド（以下、『光ファイバケーブル用スロットロッド』或いは単に『スロットロッド』と記述する。）の外周面に形成された螺旋溝内に光ファイバ芯線を落とし込んだ後、スロットロッドの表面に粗巻紐を巻き付けて光ファイバ芯線を螺旋溝内に固定している。尚、『芯線』は別名『心線』とも呼ばれる。スロットロッドは、抗張力部材の周囲に成形した断面形状円形のロッドの外周面に複数本の螺旋溝を凹設したものであり、螺旋溝の形状には、Ｓ方向巻き、Ｚ方向巻き、そしてＳＺ方向巻き、の３種類がある。
【０００３】
スロットロッドの螺旋溝内に光ファイバ芯線を落とし込む光ファイバ芯線落とし込み装置としては、走行するスロットロッドの周りに相対回転可能に支持された光ファイバ芯線挿入パイプに光ファイバ芯線を挿通して、光ファイバ芯線挿入パイプによって光ファイバ芯線を案内して螺旋溝内に光ファイバ芯線を落とし込むようにしたものが知られている（例えば、特許文献１参照）。
【０００４】
この光ファイバ芯線落とし込み装置は、走行するスロットロッドの周りを相対回転可能に配設された支持手段に、断面円形の貫通穴を有する光ファイバ芯線挿入パイプを装着し、光ファイバ芯線が挿通された光ファイバ芯線挿入パイプの先端をスロットロッドの螺旋溝に挿入して、光ファイバ芯線挿入パイプによって光ファイバ芯線を確実に案内して螺旋溝内に落とし込むようになっている。
【特許文献１】特開平１１−３３７７９２号公報（第３−４頁、第１図）
【発明の開示】
【発明が解決しようとする課題】
【０００５】
しかしながら、光ファイバ芯線挿入パイプの先端を螺旋溝内に挿入するためには、螺旋溝の幅を光ファイバ芯線挿入パイプの外径よりも大きくする必要があるので、スロットロッドの外径は螺旋溝の幅に制約されて小さくすることが難しく、従って、光ファイバケーブルを細くすることが困難であった。また、光ファイバ芯線挿入パイプは支持手段に固定されているので、スロットロッドに形成された螺旋溝の幅や位置などに誤差があると、光ファイバ芯線挿入パイプの先端と螺旋溝が当接して光ファイバ芯線が収容される螺旋溝の内壁や光ファイバ芯線挿入パイプの先端が損傷し、伝送損失が増大する虞があった。
【０００６】
本発明は、前述した事情に鑑みてなされたものであり、その目的は、光ファイバ芯線挿入パイプの貫通穴を断面形状楕円形にすると共に、その短径軸を螺旋溝の幅方向に向けて光ファイバ芯線挿入パイプの先端をスロットロッドの螺旋溝に挿入して配置することにより螺旋溝の幅を狭くして外径の細い光ファイバケーブルを製作可能とした光ファイバ芯線落とし込み装置を提供することにある。
【課題を解決するための手段】
【０００７】
前述した目的を達成するため、本発明に係る光ファイバ芯線落とし込み装置は、下記（１）、（２）、（３）、および（４）を特徴としている。
（１）  螺旋溝が外周面に形成された光ファイバケーブル用スロットロッドを挿通させるスロットロッド挿通穴が形成されると共に前記光ファイバケーブル用スロットロッドの周りに相対回転可能に支持された回動支持部材と、光ファイバ芯線を挿通させる貫通穴が設けられ前記光ファイバ芯線の挿入方向下流側の一端が前記螺旋溝に挿入されて前記回動支持部材に装着された光ファイバ芯線挿入パイプと、を備え、前記光ファイバ芯線挿入パイプによって前記光ファイバ芯線を案内しながら前記光ファイバ芯線を前記螺旋溝に落とし込む光ファイバ芯線落とし込み装置であって、
前記光ファイバ芯線挿入パイプの前記貫通穴は、その断面形状が前記螺旋溝の幅方向に短径軸を有する楕円形状であること。
（２）  上記（１）の光ファイバ芯線落とし込み装置が、前記光ファイバケーブル用スロットロッドの中心と前記光ファイバ芯線挿入パイプの下流側先端における前記螺旋溝の中心とを結ぶ線に平行な揺動軸心を中心として揺動可能とされて前記回動支持部材に配設されたパイプホルダを更に備え、
前記光ファイバ芯線挿入パイプの前記貫通穴の長径軸を前記揺動軸心に一致させて、前記光ファイバ芯線挿入パイプの上流側の他端を前記パイプホルダに固着したこと。
（３）  上記（１）または上記（２）の光ファイバ芯線落とし込み装置の前記パイプホルダが、前記光ファイバ芯線挿入パイプを挿入して固定する断面楕円形のパイプ挿入穴と、前記パイプ挿入穴の長径軸の延長線上の両端に形成された一対の支持ピンと、を有し、
一対の前記支持ピンが、前記光ファイバケーブル用スロットロッドの中心と前記光ファイバ芯線挿入パイプの下流側先端における前記螺旋溝の中心とを結ぶ線に平行とされて前記回動支持部材に設けられたピン支持穴に嵌合して、前記光ファイバ芯線挿入パイプが一対の前記支持ピンを中心として揺動自在に前記回動支持部材に配設されたこと。
（４）  上記（１）〜（３）のいずれかの光ファイバ芯線落とし込み装置の前記光ファイバ芯線挿入パイプが、前記パイプホルダの前記パイプ挿入穴に挿入されると共に、前記光ファイバ芯線挿入パイプに固定された磁石の磁力により前記パイプホルダに固着されること。
【０００８】
上記（１）に記載した構成の光ファイバ芯線落とし込み装置によれば、光ファイバ芯線挿入パイプは、断面形状楕円形の貫通穴の短径軸が螺旋溝の幅方向に向けられて下流側の一端が螺旋溝に挿入されているので、幅の狭い螺旋溝にも光ファイバ芯線挿入パイプの一端を挿入することが可能となる。これにより、スロットロッドの外径を細くして細い光ファイバケーブルの製作が可能となる。従って、一定の断面積内に多数の光ファイバケーブルを高密度で効率よく配置することができる。
上記（２）に記載した構成の光ファイバ芯線落とし込み装置によれば、スロットロッドの中心と光ファイバ芯線挿入パイプの下流側先端における螺旋溝の中心とを結ぶ線に平行な揺動軸心を中心として揺動可能とされて回動支持部材に配設されたパイプホルダに、光ファイバ芯線挿入パイプの貫通穴の長径軸を揺動軸心に一致させて、光ファイバ芯線挿入パイプの上流側の他端を固着したので、光ファイバ芯線挿入パイプはパイプホルダの揺動軸心を中心として揺動することができる。これにより、下流側の一端が螺旋溝内に挿入された光ファイバ芯線挿入パイプは、螺旋溝に沿って揺動して確実に光ファイバ芯線を螺旋溝内に落とし込むことができる。
上記（３）に記載した構成の光ファイバ芯線落とし込み装置によれば、光ファイバ芯線挿入パイプを挿入して固定する断面楕円形のパイプ挿入穴および該パイプ挿入穴の長径軸の延長線上の両端に一対の支持ピンが形成されたパイプホルダを、スロットロッドの中心と光ファイバ芯線挿入パイプの下流側先端における螺旋溝の中心とを結ぶ線に平行とされて回動支持部材に設けられたピン支持穴に嵌合して、パイプホルダを一対の支持ピンを中心として揺動自在に配設したので、パイプホルダに固定された光ファイバ芯線挿入パイプを簡単な機構により螺旋溝に追従させて揺動させることができる。
上記（４）に記載した構成の光ファイバ芯線落とし込み装置によれば、光ファイバ芯線挿入パイプは、パイプホルダのパイプ挿入穴に挿入され、光ファイバ芯線挿入パイプに固定された磁石の磁力によりパイプホルダに固着されるので、光ファイバ芯線挿入パイプの長手方向の位置決め（換言すれば、光ファイバ芯線挿入パイプが螺旋溝内に挿入される長さ）を行ないながら、簡単かつ確実にパイプホルダに固着することができる。また、光ファイバ芯線挿入パイプの複雑な固定装置が不要となり、回動支持部材を小型化することができる。
【発明の効果】
【０００９】
本発明の光ファイバ芯線落とし込み装置によれば、幅の狭い螺旋溝にも光ファイバ芯線挿入パイプの下流側の一端を挿入することが可能となり、スロットロッドの外径を細くして細い光ファイバケーブルを製作することができる。これにより、一定の断面積内に多数の光ファイバケーブルを高密度で効率よく配置することができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１は、本発明の一実施形態である光ファイバ芯線落とし込み装置の縦断面図である。  図２（ａ）〜図２（ｃ）は、図１におけるパイプホルダを示し、図２（ａ）は正面図、図２（ｂ）は平面図、そして図２（ｃ）は図２（ａ）におけるＩＩｃ−ＩＩｃ矢視縦断面図である。図３（ａ）〜図３（ｃ）は、図１における磁石が固定された光ファイバ芯線挿入パイプを示し、図３（ａ）は正面図、図３（ｂ）は図３（ａ）におけるＩＩＩｂ−ＩＩＩｂ矢視部分破断側面図、そして図３（ｃ）は図３（ｂ）におけるＩＩＩｃ−ＩＩＩｃ矢視縦断面図である。図４は、図１における回動支持部材の上流側端面の要部拡大図である。そして図５は、図１におけるパイプホルダのパイプ挿入穴に光ファイバ芯線挿入パイプが嵌合した状態を示す正面図である。
【００１３】
図１に示されるように、光ファイバ芯線落とし込み装置１００は、光ファイバ芯線１１をスロットロッド１３の外周面に形成された螺旋溝１３ａ内に落とし込む光ファイバ芯線挿入パイプ１５と、光ファイバ芯線挿入パイプ１５をスロットロッド１３の軸線Ｃの周りに相対回転可能に支持する回動支持部材１７と、スロットロッド１３の表面に粗巻紐１９を巻き付ける粗巻紐巻付け装置２１と、を備えている。
【００１４】
図１および図３に示されるように、光ファイバ芯線挿入パイプ１５は、断面形状楕円形の貫通穴１５ａが軸方向に形成された金属製の筒状部材であり、スロットロッド１３の軸線Ｃに対して傾斜して回動支持部材１７に支持されて複数配設されている。具体的には、複数の光ファイバ芯線挿入パイプ１５が、スロットロッド１３の周囲に略等間隔でスロットロッド１３の螺旋溝１３ａに対応して配置されており、光ファイバ芯線１１の挿入方向上流側に向かうに従って次第にスロットロッド１３の軸線Ｃから半径方向に離間するように傾斜して配設されている。光ファイバ芯線挿入パイプ１５の上流側の端部はテーパ状に拡開された芯線導入部１５ｂが形成されており、光ファイバ芯線１１を容易に挿通できるようになっている。
【００１５】
光ファイバ芯線挿入パイプ１５の芯線導入部１５ｂ側の端部には、リング状ストッパである磁石２５が嵌合して固着されており、磁石２５が磁力によりパイプホルダ２３（後述）に吸着することによって回動支持部材１７に固定されて、光ファイバ芯線挿入パイプ１５のスロットロッド１３に対する長手方向の位置決めがなされる。これにより、光ファイバ芯線挿入パイプ１５の下流側の一端１５ｃは、スロットロッド１３の螺旋溝１３ａ内に規定された深さで挿入される。磁石２５は、光ファイバ芯線１１をスロットロッド１３の螺旋溝１３ａ内に落とし込む作業中に光ファイバ芯線挿入パイプ１５がパイプホルダ２３（即ち、回動支持部材１７）から離脱しない程度の磁力を有するものであれば特に限定されず、例えばＳｍ−Ｃｏ磁石などのように比較的加工が容易なものであってもよい。
【００１６】
回動支持部材１７は、中央部に円錐台形状凸部１７ａが設けられた略円盤状部材であり、略円盤形状に形成された回転目板３１の穴３１ａから円錐台形状凸部１７ａを凸設させてねじ３３により回転目板３１に固定されている。回転目板３１は、転がり軸受け２９を介して基台２７に回動自在に配設されている。これにより回動支持部材１７は、スロットロッド１３の周りを相対回転することができる。
【００１７】
回動支持部材１７は、スロットロッド１３を挿通させるためのスロットロッド挿通穴１７ｂと、光ファイバ芯線挿入パイプ１５を挿通させて収容する複数のパイプ収容穴１７ｃと、が設けられている。スロットロッド挿通穴１７ｂは回動支持部材１７の回転軸線Ｃを通って形成されており、回動支持部材１７がスロットロッド挿通穴１７ｂに挿通され矢印Ａ方向に走行するスロットロッド１３の周囲を相対回転可能に構成されている。
【００１８】
パイプ収容穴１７ｃは、光ファイバ芯線１１の上流側に向かうに従って次第に軸線Ｃから離間するように傾斜してスロットロッド挿通穴１７ｂの周囲に円周方向に略等間隔で複数が配置されており、回動支持部材１７の上流側側面１７ｄからスロットロッド挿通穴１７ｂに貫通して形成されている。パイプ収容穴１７ｃは、挿通された光ファイバ芯線挿入パイプ１５がパイプ収容穴１７ｃ内で揺動可能な大きさとなっている。また、パイプ収容穴１７ｃの上流側側面１７ｄには、光ファイバ芯線挿入パイプ１５が固着されるパイプホルダ２３が揺動自在に取り付けられている。
【００１９】
図２に示されるように、パイプホルダ２３は鉄などの磁性体金属により製作されており、その中心に断面楕円形のパイプ挿入穴２３ａが形成された略円盤状の本体２３ｃと、パイプ挿入穴２３ａの長径軸ＬＡの延長線上の両端に形成された一対の支持ピン２３ｂと、を備える。本体２３ｃは、パイプホルダ２３を回動支持部材１７に取り付けたとき、外側となる面が平面２３ｄとされ、反対側の面が円弧状面２３ｅとなっている。パイプ挿入穴２３ａは、光ファイバ芯線挿入パイプ１５の外径よりも僅かに大きい楕円穴であり、パイプ挿入穴２３ａに光ファイバ芯線挿入パイプ１５が遊嵌されて、光ファイバ芯線挿入パイプ１５がパイプ挿入穴２３ａ内で僅かに揺動できるようになっている。
【００２０】
図４に示されるように、回動支持部材１７の上流側側面１７ｄには、パイプ収容穴１７ｃと同じ軸心を有する断面形状円形のホルダ室１７ｅと、ホルダ室１７ｅの直径線上の両側に設けられた一対のピン支持穴１７ｆとが凹設されており、ホルダ室１７ｅにパイプホルダ２３の本体２３ｃを収容すると共に、ピン支持穴１７ｆに一対の支持ピン２３ｂを収容する。一対の支持ピン２３ｂは、ねじ３５により上流側側面１７ｄに固定された押さえ板３７によって開放側が押さえられてピン支持穴１７ｆ内で揺動自在に配設されている（図１参照）。一対のピン支持穴１７ｆの中心を結ぶ線、換言すれば、パイプホルダ２３のパイプ挿入穴２３ａの長径軸ＬＡは、スロットロッド挿通穴１７ｂに挿通されたスロットロッド１３の中心ＳＣと光ファイバ芯線挿入パイプ１５の下流側先端１５ｃにおける螺旋溝１３ａの幅方向の中心ＧＣとを結ぶ線ＬＢ上に配置されている。
【００２１】
これにより、パイプホルダ２３、およびパイプホルダ２３に固定された光ファイバ芯線挿入パイプ１５は、スロットロッド１３の中心ＳＣと光ファイバ芯線挿入パイプ１５の下流側先端１５ｃにおける螺旋溝１３ａの幅方向の中心ＧＣとを結ぶ線ＬＢを揺動中心として揺動可能である。また、光ファイバ芯線挿入パイプ１５の下流側の一端１５ｃは、楕円形の貫通穴１５ａの短径軸ＳＡをスロットロッド１３の螺旋溝１３ａの幅方向に向けて螺旋溝１３ａに挿入されている。
【００２２】
尚、図１においては、理解を容易にするためにパイプ収容穴１７ｃ、光ファイバ芯線挿入パイプ１５、パイプホルダ２３などはひとつだけ示したが、スロットロッド１３に形成された螺旋溝１３ａの数に対応して複数、例えば４個が円周方向に等間隔で配置されている。
【００２３】
図１に示されるように、粗巻紐巻付け装置２１は、螺旋溝１３ａ内に光ファイバ芯線１１が落とし込まれた後、スロットロッド１３の外周に粗巻紐１９を巻き付けるためのものであって、スロットロッド１３は、粗巻紐巻付け装置２１の挿通穴２１ａに挿通して矢印Ａ方向に走行しながらリール（不図示）から供給される粗巻紐１９が巻き付けられる。
【００２４】
本実施形態の作用を説明する。本発明の実施形態である光ファイバ芯線落とし込み装置１００は、図１に示されるように、スロットロッド１３が、筒状の保護パイプ３９、回動支持部材１７のスロットロッド挿通穴１７ｂを通って矢印Ａ方向に送り出される。一方、光ファイバ芯線１１は、光ファイバ芯線挿入パイプ１５の貫通穴１５ａに挿通されて図１において右上方から左下方に向かって送られ、螺旋溝１３ａに挿入された下流側の一端１５ｃから送り出されてスロットロッド１３の螺旋溝１３ａ内に落とし込まれる。
【００２５】
光ファイバ芯線挿入パイプ１５の断面形状楕円形の貫通穴１５ａの内径と、貫通穴１５ａに挿通された光ファイバ芯線１１の外径と、の隙間は、貫通穴１５ａの短径軸ＳＡ上が最も狭い。貫通穴１５ａの長径軸ＬＡ上の最も広い隙間は、従来用いられていた断面丸穴の光ファイバ芯線挿入パイプにおける貫通穴と光ファイバ芯線１１の外径との隙間と略同じ隙間となるように設定されている。即ち、貫通穴１５ａの長径は従来の断面丸穴の貫通穴の直径と同じであり、貫通穴１５ａの短径は従来の断面丸穴の貫通穴の直径よりも小さい。また、断面形状楕円形の貫通穴１５ａの断面積に対する光ファイバ芯線１１の断面積の比（占有率）は、従来の断面丸穴の貫通穴の断面積に対する光ファイバ芯線１１の断面積の比よりも大きい。
【００２６】
断面形状楕円形の貫通穴１５ａを有する光ファイバ芯線挿入パイプ１５の下流側の一端１５ｃは、その短径軸ＳＡが螺旋溝１３ａの幅方向に向けられて螺旋溝１３ａに挿入されている。従って、螺旋溝１３ａの幅を最小幅とすることができ、これによってスロットロッド１３の外径も細くして、細い光ファイバケーブルの製作が可能となる。
【００２７】
スロットロッド１３の矢印Ａ方向への走行に伴って螺旋溝１３ａは、スロットロッド１３の円周方向に往復して変位する。スロットロッド１３の周りに回動自在に配設された回動支持部材１７に装着された光ファイバ芯線挿入パイプ１５は、その下流側の一端１５ｃが螺旋溝１３ａに挿入されているので、螺旋溝１３ａの円周方向の変位に追従して回動支持部材１７と共にスロットロッド１３の周りを回動しながら光ファイバ芯線１１を螺旋溝１３ａ内に落とし込む。
【００２８】
このとき、光ファイバ芯線挿入パイプ１５が固着されたパイプホルダ２３は、一対の支持ピン２３ｂにより揺動可能に支持されているので、光ファイバ芯線挿入パイプ１５はスロットロッド１３の中心ＳＣと光ファイバ芯線挿入パイプ１５の下流側先端１５ｃにおける螺旋溝１３ａの幅方向の中心ＧＣとを結ぶ線ＬＢを揺動中心として揺動する。また、図５に示されるように、光ファイバ芯線挿入パイプ１５は、パイプホルダ２３のパイプ挿入穴２３ａと光ファイバ芯線挿入パイプ１５との隙間の範囲内で自由に回動することかでき、光ファイバ芯線挿入パイプ１５に作用する力を軽減すると共に、光ファイバ芯線挿入パイプ１５が螺旋溝１３ａの内面に強く摺接することによる傷付けを防止することができ、伝送損失の増大を抑制することができる。
【００２９】
また、光ファイバ芯線挿入パイプ１５は、磁石２５によってパイプホルダ２３に固着されるので、パイプホルダ２３に形成された断面楕円形のパイプ挿入穴２３ａに光ファイバ芯線挿入パイプ１５を挿入するだけの簡単な操作により、光ファイバ芯線挿入パイプ１５の貫通穴１５ａを所定の方向（即ち、楕円形の貫通穴１５ａの短径軸ＳＡを螺旋溝１３ａの幅方向に向ける）に向けて確実かつ容易に取り付けることができ、取付け作業性を向上させることができる。また、光ファイバ芯線挿入パイプ固定機構を簡単化することができ、回動支持部材１７の小型化が可能となる。更に、光ファイバ芯線挿入パイプ１５の固定位置を目視により確認することができる。
【００３０】
光ファイバ芯線落とし込み装置１００によれば、螺旋溝１３ａが外周面に形成されたスロットロッド１３を挿通させるスロットロッド挿通穴１７ｂが形成されると共にスロットロッド１３の周りに相対回転可能に支持された回動支持部材１７と、断面形状楕円形の貫通穴１５ａが形成され、光ファイバ芯線１１の挿入方向下流側の一端１５ｃが螺旋溝１３ａに挿入された状態で回動支持部材１７に装着された光ファイバ芯線挿入パイプ１５と、を備える。光ファイバ芯線挿入パイプ１５は、断面形状楕円形の貫通穴１５ａの短径軸ＳＡが螺旋溝１３ａの幅方向に向けられて下流側の一端１５ｃが螺旋溝１３ａに挿入されているので、幅の狭い螺旋溝１３ａにも光ファイバ芯線挿入パイプ１５の一端１５ｃを挿入することが可能となる。これにより、スロットロッド１３の外径を細くして細い光ファイバケーブルの製作が可能となる。従って、一定の断面積内に多数の光ファイバケーブルを高密度で効率よく配置することができる。
【００３１】
また、光ファイバ芯線落とし込み装置１００によれば、スロットロッド１３の中心ＳＣと光ファイバ芯線挿入パイプ１５の下流側先端１５ｃにおける螺旋溝１３ａの中心ＧＣとを結ぶ線ＬＢに平行な揺動軸心を中心として揺動可能とされて回動支持部材１７に配設されたパイプホルダ２３に、光ファイバ芯線挿入パイプ１５の貫通穴１５ａの長径軸ＬＡを揺動軸心に一致させて、光ファイバ芯線挿入パイプ１５の上流側の他端を固着したので、光ファイバ芯線挿入パイプ１５はパイプホルダ２３の揺動軸心を中心として揺動することができる。これにより、下流側の一端１５ｃが螺旋溝１３ａ内に挿入された光ファイバ芯線挿入パイプ１５は、螺旋溝１３ａに沿って揺動して確実に光ファイバ芯線１１を螺旋溝１３ａ内に落とし込むことができる。
【００３２】
更に、光ファイバ芯線落とし込み装置１００によれば、光ファイバ芯線挿入パイプ１５を挿入して固定する断面楕円形のパイプ挿入穴２３ａおよび該パイプ挿入穴２３ａの長径軸ＬＡの延長線上の両端に一対の支持ピン２３ｂが形成されたパイプホルダ２３を、スロットロッド１３の中心ＳＣと光ファイバ芯線挿入パイプ１５の下流側先端１５ｃにおける螺旋溝１３ａの中心ＧＣとを結ぶ線ＬＢに平行とされて回動支持部材１７に設けられたピン支持穴１７ｆに嵌合して、パイプホルダ２３を一対の支持ピン２３ｂを中心として揺動自在に配設したので、パイプホルダ２３に固定された光ファイバ芯線挿入パイプ１５を簡単な機構により螺旋溝１３ａに追従させて揺動させることができる。
【００３３】
また、光ファイバ芯線落とし込み装置１００によれば、光ファイバ芯線挿入パイプ１５は、パイプホルダ２３のパイプ挿入穴２３ａに挿入され、光ファイバ芯線挿入パイプ１５に固定された磁石２５の磁力によりパイプホルダ２３に固着されるので、光ファイバ芯線挿入パイプ１５の長手方向の位置決め（換言すれば、光ファイバ芯線挿入パイプ１５が螺旋溝１３ａ内に挿入される長さ）を行ないながら、簡単かつ確実にパイプホルダ２３に固着することができる。また、光ファイバ芯線挿入パイプ１５の複雑な固定装置が不要となり、回動支持部材１７を小型化することができる。
【００３４】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００３５】
【図１】本発明の一実施形態である光ファイバ芯線落とし込み装置の縦断面図である。
【図２】図１におけるパイプホルダを示し、（ａ）は正面図、（ｂ）は平面図、そして（ｃ）は図２（ａ）におけるＩＩｃ−ＩＩｃ矢視縦断面図である。
【図３】図１における磁石が固定された光ファイバ芯線挿入パイプを示し、（ａ）は正面図、（ｂ）は図３（ａ）におけるＩＩＩｂ−ＩＩＩｂ矢視部分破断側面図、そして（ｃ）は図３（ｂ）におけるＩＩＩｃ−ＩＩＩｃ矢視縦断面図である。
【図４】図１における回動支持部材の上流側端面の要部拡大図である。
【図５】図１におけるパイプホルダのパイプ挿入穴に光ファイバ芯線挿入パイプが嵌合した状態を示す正面図である。
【符号の説明】
【００３６】
１００：  光ファイバ芯線落とし込み装置
１１：  光ファイバ芯線
１３：  スロットロッド（光ファイバケーブル用スロットロッド）
１３ａ：螺旋溝
１５：  光ファイバ芯線挿入パイプ
１５ｃ：下流側の一端
１７：  回動支持部材
１７ｂ：スロットロッド挿通穴
２３：  パイプホルダ
２５：  磁石
２３ａ：パイプ挿入穴
２３ｂ：一対の支持ピン
ＳＡ：  短径軸
ＬＡ：  長径軸
１５ａ：貫通穴
１７ｆ：ピン支持穴
ＧＣ：  螺旋溝の中心
ＳＣ：  光ファイバケーブル用スロットロッドの中心
ＬＢ：  光ファイバケーブル用スロットロッドの中心と螺旋溝の中心とを結ぶ線
【図１】
2005331543.tif 000003
【図２】
2005331543.tif 000004
【図３】
2005331543.tif 000005
【図４】
2005331543.tif 000006
【図５】
2005331543.tif 000007